(57)【要約】      （修正有）【課題】非磁性体である取付部に固定することができると共に杖を着脱しやすく、製造コストを低減することができる杖固定具を提供する。【解決手段】別部材の固定手段により被固定部に固定される固定板部１１と、該固定板部に固定された杖係止部１２とを備え、上記杖係止部は可撓性を有するエラストマーにより一体成型され、固定板部へ固定される基部１４と、該基部の両端部から突出形成され、先端部が所定間隔を置いて対向して配置される円弧状の一対の係止片部１６とを有し、杖を、上記一対の係止片部の間を介して、基部及び一対の係止片部により形成される空隙内へ挿入して固定する。【選択図】図１
0003164898.tif 000002
【実用新案登録請求の範囲】
【請求項１】
別部材の固定手段により被固定部に固定される固定板部と、上記固定板部に固定された杖係止部とを備え、上記杖係止部は可撓性を有するエラストマーにより一体成型され、固定板部へ固定される基部と、上記基部の両端部から突出形成され、先端部が所定間隔を置いて対向して配置される円弧状の一対の係止片部とを有し、杖を、上記一対の係止片部の間を介して、基部及び一対の係止片部により形成される空隙内へ挿入して固定することを特徴とする杖固定具。
【請求項２】
上記基部及び係止片部は、上記固定板部の平面方向に直交して配設されていることを特徴とする請求項１記載の杖固定具。
【請求項３】
上記基部及び係止片部は、上記固定板部の平面方向に沿って配設されていることを特徴とする請求項１記載の杖固定具。
【請求項４】
上記一対の係止片部の先端部には、夫々、上記基部及び一対の係止片部により形成される空隙内へ突出し、杖挿入時に上記空隙方向へ杖の挿入をガイドするガイド部が膨出形成されたことを特徴とする請求項２又は３のいずれか１項に記載の杖固定具。
【請求項５】
上記一対のガイド部には、杖挿入方向に沿って突条部が形成されたことを特徴とする請求項４記載の杖固定具。
【請求項６】
上記杖係止部の基部には固定板部との接合固定部が形成されていると共に上記固定板部には上記接合固定部に接合される接合部が形成され、上記接合固定部及び上記接合部には、夫々、貫通して形成され、接合時には互いに整合されると共に軸状の固定部材が貫通配置される孔部が開設され、上記接合固定部の孔部内には小突部が形成されていることを特徴とする請求項５記載の杖固定具。
【請求項７】
上記接合固定部の孔部は長孔に形成されると共に、上記小突部は、上記孔部の長さ方向中央部に、所定寸法を有し軸方向に沿う突条として形成され、上記突条は、中間部が最も高く形成されると共に上記中間部から両端部にかけて次第に低く形成されていることを特徴とする請求項６記載の杖固定具。
【考案の詳細な説明】
【技術分野】
【０００１】
本考案は杖固定具の改良に関する。
【背景技術】
【０００２】
従来より、老人等が使用する杖の固定具が販売されていた。このような杖固定具は、取付部への固定板部と、この固定板に対して約９０度の範囲で回動可能に取り付けられた、全体略短円筒のクリップ状に形成された杖係止部とにより構成され、上記固定板部を水平段部又は垂直平面部に適宜手段により固定し、固定板部に対して９０度の角度で配置される杖係止部に対して杖を挿入係止させることにより、杖を固定するように構成されている（特許文献１）。
【０００３】
しかしながら、このような従来の杖固定具にあっては、杖係止部は固定板部に対して回動可能に取り付けられていることから、杖を杖係止部に挿入する場合や、杖係止部から取り出す際に、杖係止部も杖の動きに追随して回動してしまい、杖を挿入固定しにくい場合があると共に取り出しにくい場合がある、という不具合があった。
【０００４】
また、上記杖固定具にあっては、杖係止部は弾性を有する素材からは形成されていないことから、杖は杖係止部の上方から杖係止部の空隙部内に杖を挿通固定せざるをえず、杖の挿入方向が固定されてしまうことから、使いにくい場合がある、という不具合もあった。
【０００５】
また、従来、本件出願人は、磁石が内装された固定板部を有すると共に、弾性変形可能な素材により構成された、同様の形状を有する杖係止部を備えた杖固定具を提案している（特許文献２）。
【０００６】
この杖固定具にあっては、杖を杖係止部の側面方向から、上記空隙部を介して杖係止部の空隙部内に、杖係止部の側方から挿入固定することができる。
しかしながら、このような杖固定具にあっては、磁石により被取付部に固定するように構成されていることから、非磁性体からなる被取付部には固定することができない、という不具合が存していた。
【０００７】
さらに、この従来の固定具にあっては、杖係止部を構成する一対の係止片部はスプリング部材により互いに接近する方向へ常時付勢されており、杖係止部を構成する部品点数が多く、製造コストが嵩む、という問題もあった。
【特許文献１】実用新案登録第３１３２７１８号
【特許文献２】実用新案登録第３００８４５７号
【考案の開示】
【考案が解決しようとする課題】
【０００８】
本考案はこのような従来からの要請に応えるものであって、その課題は、非磁性体である取付部であっても固定することができると共に杖を着脱しやすく、製造コストを低減することができる杖固定具を提供することにある。
【課題を解決するための手段】
【０００９】
上記課題を解決するため、請求項１記載の考案にあっては、別部材の固定手段により被固定部に固定される固定板部と、上記固定板部に固定された杖係止部とを備え、上記杖係止部は可撓性を有するエラストマーにより一体成型され、固定板部へ固定される基部と、上記基部の両端部から突出形成され、先端部が所定間隔を置いて対向して配置される円弧状の一対の係止片部とを有し、杖を、上記一対の係止片部の間を介して、基部及び一対の係止片部により形成される空隙内へ挿入して固定することを特徴とする。
従って、請求項１記載の考案にあっては、固定板部は別部材の固定手段を用いて被固定部に固定される。
【００１０】
また、杖を固定する場合には、基部及び上記一対の係止片部により内部に形成された空隙内へ挿入固定する。杖を挿入固定する場合、杖係止部は可撓性を有するエラストマーにより一体形成されていることから、杖挿入時には一対の係止片部は弾性変形して杖を上記空隙内に固定する。また、取り出し時にも弾性変形して拡開する。
【００１１】
請求項２記載の考案にあっては、上記基部及び係止片部は、上記固定板部の平面方向に直交して配設されていることを特徴とする。従って、請求項２記載の考案にあっては、杖は固定板部の平面方向に沿って固定される。
【００１２】
請求項３記載の考案にあっては、上記基部及び係止片部は、上記固定板部の平面方向に沿って配設されていることを特徴とする。従って、請求項３記載の考案にあっては、杖は固定板部の平面方向に直交した状態で固定される。
【００１３】
請求項４記載の考案にあっては、上記一対の係止片部の先端部には、夫々、上記基部及び一対の係止片部により形成される空隙内へ突出し、杖挿入時に上記空隙方向へ杖の挿入をガイドするガイド部が膨出形成されたことを特徴とする。従って、一対の係止片部の間を介して杖を空隙内に挿入する場合には、上記ガイド部により杖の挿入がガイドされる。
【００１４】
請求項５記載の考案にあっては、上記一対のガイド部には、杖挿入方向に沿って突条部が形成されたことを特徴とする。従って、請求項５記載の考案にあっては、一対の係止片部の間を介して杖を空隙内に挿入する場合には、上記ガイド部に形成された突条部によりガイドされて挿入される。
【００１５】
請求項６記載の考案にあっては、上記杖係止部の基部には固定板部との接合固定部が形成されていると共に上記固定板部には上記接合固定部に接合される接合部が形成され、上記接合固定部及び上記接合部には、夫々、貫通して形成され、接合時には互いに整合されると共に軸状の固定部材が貫通配置される孔部が開設され、上記接合固定部の孔部内には小突部が形成されていることを特徴とする。
【００１６】
請求項７記載の考案にあっては、上記接合固定部の孔部は長孔に形成されると共に、上記小突部は、上記孔部の長さ方向中央部に所定寸法を有し、軸方向に沿う突条として形成され、上記突条は、中間部が最も高く形成されると共に上記中間部から両端部にかけて次第に低く形成されていることを特徴とする。
【００１７】
従って、請求項７記載の考案にあっては、杖係止部と固定板部を接合する場合に、上記夫々の孔部を整合させて軸状固定部材を上記接合固定部の孔部内に挿入した場合、上記突条に至る部位まではスムーズに挿入でき、その後、上記突条に次第に係合することにより孔部内に固定される。
【考案の効果】
【００１８】
請求項１記載の考案にあっては、杖係止部は可撓性を有するエラストマーにより型による一体形成されていることから、従来のように係止片部を付勢するスプリング部材は不要となり、構成部品点数を削減することができ、製造コストを低減することができる。
【００１９】
また、従来のように、磁力により被固定部に固定されるものではなく、固定板部は別部材の固定手段を用いて被固定部に固定されることから、磁力が作用しない被固定部であっても固定することができる。
さらに、杖挿入時には一対の係止片部は弾性変形して杖を上記空隙内に固定するように構成されることから杖を容易に固定し、また、取り出し時にも拡開することから固定を解除し取り出して使用することができる。
【００２０】
請求項２記載の考案にあっては、上記基部及び係止片部は、上記固定板部の平面方向に直交して配設されており、杖は固定板部の平面方向に沿って固定されることから、請求項２記載の考案にあっては、例えば、壁面部等に本考案に係る杖固定具を固定して杖を壁面部と略平行に固定することができる。
【００２１】
請求項３記載の考案にあっては、上記基部及び係止片部は、上記固定板部の平面方向に沿って配設されており、杖は固定板部の平面方向に直交した状態で固定されることから、請求項３記載の考案にあっては、例えば、棚、机等の平面部の端部に本考案に係る杖固定具を固定して、杖を固定することができる。
【００２２】
請求項４記載の考案にあっては、上記一対の係止片部の先端部には、夫々、上記杖挿入部方向へ突出し、杖挿入時に上記杖挿入部方向へ杖の挿入をガイドするガイド部が膨出形成され、一対の係止片部の間を介して杖を空隙内に挿入する場合には、上記ガイド部により杖の挿入がガイドされるように構成されていることから、杖を上記一対の係止片部の長さ方向に沿って容易に係止片部内に挿入し固定することができる、
【００２３】
請求項５記載の考案にあっては、上記一対のガイド部には、杖挿入方向に沿って突条部が形成され、一対の係止片部の間を介して杖を空隙内に挿入する場合には、上記ガイド部に形成された突条部によりさらにガイドされて挿入されるように構成されていることから、請求項４記載の考案の効果に加えて、杖をスムーズに挿入及び取り出しでき、さらに挿入又は取り出しやすい杖固定具を提供することができる。
【００２４】
請求項６及び７記載の考案にあっては、上記のように、杖係止部と固定板部を接合する場合に接合固定部を接合部の間に挿入配置し、上記、夫々の孔部を整合させて軸状固定部材を接合固定部の孔部内に挿入した場合、上記突条に至る部位まではスムーズに挿入でき、その後、上記突条に次第に係合することにより孔部内に固定される。
【００２５】
杖係止部はエラストマーによる一体成型で形成されていることから、金型内において高温条件下で成型した場合には型成型品は膨張し、その後、冷却して型から取り出した場合には型成型品は収縮する。さらに、その後の環境温度条件によっても型成型品は膨張する可能性もあり、その結果、基準となる公差を維持できず製造誤差が生じる場合もある。
【００２６】
従って、このように基準値よりも大きな製造誤差を以って形成された場合には、上記のように杖係止部の接合固定部を固定板部の接合部に接合し軸状固定部材を挿通した場合に、軸状固定部材が孔部内に挿通された場合であっても孔部内周面との間に空隙を有し、その結果嵌合できず、杖係止部を固定板部に強固に固定することができない場合も考えられる。
【００２７】
しかしながら、このような場合であっても、本考案にあっては、軸状固定部材を挿入した場合、軸状固定部材は上記接合固定部の孔部の長さ方向中央部に至るまではスムーズに挿入され、その後、軸方向に沿って形成され、中間部が最も高く形成されると共に両端部に至るに従って次第に低くなるように形成された突条に係合することから、軸状固定部材は上記突条により確実に孔部内に係合固定することができる。
【００２８】
また、使用者にとっては、軸状固定部材の挿入時に上記の突条部と係合することから摩擦による適度な抵抗感を以って挿入できるため、使用者は、杖係止部と固定板部との接合の際に、容易かつ良好な組み立て作業を行うことができる。
【図面の簡単な説明】
【００２９】
【図１】本考案に係る杖固定具の第一の実施の形態を示し、上記基部及び係止片部は、上記固定板部の平面方向に直交して配設されている場合を示す斜視図である。
【図２】本考案に係る杖固定具の第一の実施の形態を示し、上記基部及び係止片部は、上記固定板部の平面方向に沿って配設されている場合を示す分解斜視図である。
【図３ａ】本考案に係る杖固定具の第一の実施の形態を示し、図２のＡ−Ａ線断面図である。
【図３ｂ】本考案に係る杖固定具の第一の実施の形態を示し、図２のＢ−Ｂ線断面図である。
【図４】本考案に係る杖固定具の第二の実施の形態を示し、壁面部に固定して使用している場合を示す図である。
【図５】本考案に係る杖固定具の第二の実施の形態を示し、上記基部及び係止片部は、上記固定板部の平面方向に直交して配設されている場合を示す斜視図である。
【図６】本考案に係る杖固定具の第二の実施の形態を示し、上記基部及び係止片部は、上記固定板部の平面方向に直交して配設されている場合を示す分解斜視図である。
【図７】本考案に係る杖固定具の第一の実施の形態を示し、机の上面端部に固定して使用している場合を示す図である。
【考案を実施するための最良の形態】
【００３０】
図１及び図２に示すように、第一の実施の形態に係る杖固定具１０は、別部材であるスクリュー等の固定手段（図示せず）により、壁面部、机、棚等の被固定部に固定される固定板部１１と、上記固定板部１１に接合可能に固定された杖係止部１２とを備えている。
【００３１】
上記杖係止部１２は可撓性を有し弾性変形しうるエラストマーにより一体成型され、固定板部１１へ固定される基部１４と、上記基部１４の両端部から突出形成され、先端部１５、１５が所定間隔を置いて対向して配置される円弧状の一対の係止片部１６、１６とを有し、杖を、上記一対の係止片部１６、１６の間を介して、基部１４及び一対の係止片部１６、１６により形成される空隙１７内へ挿入して固定するように構成されている。
【００３２】
図２に示すように、上記固定板部１１は、全体平面略長方形状に形成され、基端部の幅方向両端部には杖係止部１２との接合部１８、１８が所定間隔を置いて一対に形成され、上記接合部１８、１８を貫通して接合孔部１９、１９が開口されている。上記接合部１８、１８は、後端部に長さ方向に沿って形成された側方端面部１８ａ、１８ａと、同様に後端部において上方に向かって形成された上方面部１８ｂ、１８ｂを有している。
また、固定板部１１の長さ方向中央部には２個の固定孔部２０、２０が開設され、別部材としての、例えば、スクリュー等の固定具（図示せず）により、壁面等の被固定部に固定するように構成されている。
【００３３】
上記杖係止部１２は、第一の実施の形態及び第二の実施の形態において同一の形状、構造に形成されている。
即ち、図１及び図２に示すように、上記基部１４の上面端部には、上記接合部１８、１８の間に固定できる幅寸法に形成された接合固定部２１が突出形成されている。
【００３４】
接合固定部２１は、基部１４の上面方向に立ちあがって延設された側面長方形状の固定片部２１ａ、２１ａと、この固定片部２１ａ、２１ａの間に配設され、背面部側において基部１４の後方へ突出形成された直方体状の挿入部２１ｂとにより構成されており、上記挿入部２１ｂには、長さ方向に沿って、上記接合孔部１９、１９と整合しうる孔部２２が貫通して設けられている。
【００３５】
また、上記係止片部１６、１６は、杖を空隙１７内に挿入固定した場合に杖が係止されるように設定された所定の幅寸法を有していると共に、上記係止片部１６、１６の先端部１５、１５の間は、一般的な杖の径寸法よりも小さく形成され、係止片部１６、１６の間の空隙１７内に杖を挿入した場合に、係止片部１６、１６が撓んで開き、その後、元の形状に復帰することにより杖を内部の空隙１７内に固定するように形成されている。
【００３６】
上記一対の係止片部１６、１６の先端部には、夫々、上記空隙２４方向へ突出し、杖挿入時に上記杖挿入部方向へ杖の挿入をガイドするガイド部２７、２７が膨出形成されている。このガイド部２７、２７は、夫々、係止片部１６、１６の内部に形成される空隙１７方向へ伸びる、互いに対向するガイド面部２８、２８を有している。
本実施の形態にあっては、上記ガイド面部２８、２８には、ガイド面部２８、２８に沿って、夫々、所定間隔を置いて配設された２本の突条部３１、３１が杖の挿入方向に沿って形成されている。
【００３７】
また、図３（ａ）及び（ｂ）に示すように、上記挿入部２１ｂに開設された孔部２２内は長孔に形成されると共に、上記孔部２２の軸方向中央部には軸方向に沿う３つの突条３２、３２、３２が、孔部２２の周面方向に沿って内壁面部３３に等間隔に形成されている。
【００３８】
上記突条３２、３２、３２は、図３（ｂ）に示すように、中間部３２ａが最も高く形成されると共に上記中間部３２ａから両端部３２ｂ、３２ｂにかけて次第に低く形成されている。
【００３９】
本実施の形態に係る杖固定具１０を使用する場合には、図２に示すように、上記杖係止部１２の挿入部２１ｂを上記固定板部１１の接合部１８、１８の間に挿入すると共に、上記固定片部２１ａ、２１ａを上記接合部１８、１８の側方端面部１８ａ、１８ａに当接させ、この状態で、上記接合孔部１９、１９及び孔部２０を合わせ、上記接合孔部１９、１９及び孔部２０の内径と略同一の径寸法であって、上記接合孔部１９、１９及び孔部２０の長さ寸法と略同一の長さ寸法に形成された合成樹脂製の軸状固定部材１３を、上記接合孔部１９、１９及び孔部２０に挿通して、杖係止部１２を固定片部１１に固定する。
【００４０】
この場合、上記接合孔部１９、１９及び孔部２０を整合させて軸状固定部材１３を上記接合孔部１９を介して孔部２０内に挿入した場合、軸状固定部材１３は、上記突条３２、３２、３２に至るまではスムーズに挿入でき、その後、上記突条３２、３２、３２に次第に係合することにより孔部２０内に固定される。
【００４１】
ところで、杖係止部１２はエラストマーによる一体成型で形成されているが、一般に、金型内において高温条件下で型成型した場合には型成型品は膨張し、その後、冷却して型から取り出した場合には型製品は収縮する。さらに、その後の環境温度条件によっても型成型品は膨張の可能性があり、その結果、基準となる公差を維持できず製造誤差が生じる場合もある。
【００４２】
従って、このように基準値よりも製造誤差により大きく形成された場合には、上記のように杖係止部１２の接合固定部２１を固定板部１１の接合部１８、１８に接合して軸状固定部材１３が孔部２０内に挿通された場合であっても孔部２０の内壁面３３と嵌合できず、杖係止部１２を固定板部１１に強固に固定することができない場合も起こりうる。
【００４３】
しかしながら、本実施の形態にあっては、軸状固定部材１３を挿入した場合、軸状固定部材１３は上記孔部２０の長さ方向中央部に至るまではスムーズに挿入され、その後、軸方向に沿って形成され、中間部３２ａが最も高く形成されると共に両端部３２ｂ、３２ｂに至るに従って次第に低くなるように形成された３つの突条３２、３２、３２に係合することから、軸状固定部材１３は上記突条３２、３２、３２により確実に孔部２２内に係合固定することができる。
【００４４】
また、使用者にとっては、軸状固定部材１３の挿入時に上記の突条３２、３２、３２と係合することから摩擦による適度な抵抗感を以って挿入できる。その結果、使用者は、杖係止部１２と固定板部１１との接合の際に、容易かつ良好な組み立て作業を行うことができる。
【００４５】
その後、本実施の形態に係る杖固定具１０を使用する場合には、図４に示すように、例えば、固定板部１１をスクリュー等の固定具により壁面部２５に固定し、上記固定板部１１の平面部に沿って配設された杖係止部１２の係止片部１６、１６の前方から、壁面部２５に沿うようにして杖２６を挿入固定する。  
【００４６】
本実施の形態にあっては、杖係止部１２の係止片部１６、１６のガイド面部２８、２８に２本の突条部３１、３１が形成されていることから、杖２６を係止片部へ挿入する際には、全体として４本の突条部３１によりガイドされて挿入されることにより、よりスムーズに挿入又は排出される。
本実施の形態に係る杖固定具１０を使用した場合には、壁面部２５等に対して並行に杖２６を固定することができる。
【００４７】
図５及び図６は、本考案に係る杖固定具の第二の実施の形態を示す。本実施の形態に係る杖固定具３０は、基本的構成は前記実施の形態と同様であるが、杖係止部１２の固定片部１１への取付方向のみが異なる。
即ち、本実施の形態にあっては、前記実施の形態とは異なり、杖係止部１２の固定片部２１ａは固定板部１１の接合部１８の上方面部１８ｂに当接した状態で、挿入部２１ｂが接合部１８、１８の間に挿入固定されている。
その結果、図６に示すように、上記杖係止部１２の基部１４及び係止片部１６、１６は、上記固定板部１１の平面方向に対して直交して配設されている。
【００４８】
本実施の形態に係る杖固定具３０を使用する場合には、図７に示すように、例えば、机、棚等２９の上面部が形成されている被固定部へ上記固定片部１１をスクリュー等で固定し、被固定部外方へ突出配置された杖係止部１２へ杖２６を挿入固定する。
従って、本実施の形態に係る杖固定具３０にあっては、机、棚等２９、上面部が形成された被固定部を利用して杖２６を固定することができる。
【符号の説明】
【００４９】
１０  杖固定具  
１１  固定板部
１２  杖係止部
１３  軸状固定部材
１４  基部
１５  先端部
１６  係止片部
１７  空隙
１８  接合部
１８ａ  上方面部
１８ｂ  側方端面部
１９  接合孔部
２０  固定孔部
２１  接合固定部
２１ａ  固定片部
２１ｂ  挿入部
２２  孔部
２５  壁面部
２６  杖
２７  ガイド部
２８  ガイド面部
２９  机、棚等
３０  杖固定具
３１  突条部
３２  小突起
３２ａ  中間部
３２ｂ  両端部
３３  内壁面部
【図１】
0003164898.tif 000003
【図２】
0003164898.tif 000004
【図３ａ】
0003164898.tif 000005
【図３ｂ】
0003164898.tif 000006
【図４】
0003164898.tif 000007
【図５】
0003164898.tif 000008
【図６】
0003164898.tif 000009
【図７】
0003164898.tif 000010